(57)【要約】【課題】  操作ツマミがＯＮとＯＦＦの位置間に停止しないようにして、ユーザーの不安感或いは誤解を解消したガス式ヘアードライヤーを提供すること。【解決手段】  吸吐気口を有するケース２と、ファン９を回動させるモータ８と、ガスボンベ２６に接続されたガス流路を開閉する開閉弁２１と、ガスを燃焼させるバーナー５と、バーナーの点火を行う点火器６と、スライド移動自在な操作ツマミ３９と、を備え、操作ツマミを操作することにより操作機構を介してモータ及び開閉弁並びに点火器の一連のＯＮ／ＯＦＦ制御を行うガス式ヘアードライヤー１において、操作ツマミがＯＮ／ＯＦＦ位置の中途にあるときに、操作ツマミをＯＦＦ位置へ強制的に復帰させるバネ部材４６が操作機構に連係されている。【選択図】  図２
2008119160.tif 000002
【特許請求の範囲】
【請求項１】
吸吐気口を有するケースと、ファンを回動させるモータと、ガスボンベに接続されたガス流路を開閉する開閉弁と、ガスを燃焼させるバーナーと、該バーナーの点火を行う点火器と、スライド移動自在な操作ツマミと、を備え、該操作ツマミを操作することにより操作機構を介して前記モータ及び開閉弁並びに点火器の一連のＯＮ／ＯＦＦ制御を行うガス式ヘアードライヤーにおいて、前記操作ツマミがＯＮ／ＯＦＦ位置の中途にあるときに、該操作ツマミをＯＦＦ位置へ強制的に復帰させる復帰部材が前記操作機構に連係されていることを特徴とするガス式へアードライヤー。
【請求項２】
前記復帰部材は引っ張り力を有するバネ体からなり、該バネ体が前記操作機構に連結されていることを特徴とする請求項１に記載のガス式へアードライヤー。
【請求項３】
前記復帰部材は圧縮力を有するバネ部材からなり、該バネ部材が前記開閉弁を開閉するアームレバーに当接する位置に設けられていることを特徴とする請求項１に記載のガス式へアードライヤー。
【請求項４】
前記アームレバーは、くの字形に屈曲形成され、この屈曲の山形部が前記操作ツマミに臨ませたことを特徴とする請求項３に記載のガス式ヘアードライヤー。
【請求項５】
前記復帰部材は圧縮力を有するバネ部材からなり、該バネ部材が前記モータを作動させる作動スイッチに設けられた作動レバーに当接する位置に設けられていることを特徴とする請求項１に記載のガス式ヘアードライヤー。
【請求項６】
吸吐気口を有するケースと、ファンを回動させるモータと、ガスボンベに接続されたガス流路を開閉する開閉弁と、ガスを燃焼させるバーナーと、該バーナーの点火を行う点火器と、スライド移動自在な操作ツマミと、を備え、該操作ツマミを操作することにより操作機構を介して前記モータ及び開閉弁並びに点火器の一連のＯＮ／ＯＦＦ制御を行うガス式ヘアードライヤーにおいて、前記操作ツマミがＯＮ／ＯＦＦ位置の中途にあるときに、該操作ツマミをＯＮ位置へ強制的に移動させる移動部材が前記操作機構に設けられていることを特徴とするガス式へアードライヤー。
【請求項７】
前記復帰部材は引っ張り力を有するバネ体からなり、該バネ体が前記操作機構に連結されていることを特徴とする請求項６に記載のガス式へアードライヤー。
【発明の詳細な説明】
【技術分野】
【０００１】
本発明は、小型ボンベに充填したガスを熱源とし小型でコードレス化した携帯に好適なガス式ヘアードライヤーに関するものである。
【背景技術】
【０００２】
ガス式ヘアードライヤー（以下、単にドライヤーという）は、種々のタイプのものが開発されて多くの機種が既に市販されている。この種のドライヤーは、通常、小型ガスボンベをドライヤー本体に装着し、使用時にガスボンベから放出されるガスを燃焼させ、これに電池等の電源で駆動するモータによりファンを回転させて、ファンからの風を燃焼ガスに当てて温風を送風させている。
【０００３】
この種のドライヤーは、小型ガスボンベに生ガスが封入されているので、その取り扱いに十分な注意が必要となっている。そのために、ガス燃焼時には、ファンを作動させて送風がなされた状態でドライヤー本体内が異常過熱しないようにされ、また着火動作時にはガスボンベから生ガスが放出されるようになっている。
【０００４】
しかしながら、これまでのドライヤーは、最初にガスボンベから生ガスを噴出させて空気と混合させ、この混合ガスを所定温度まで加熱（予熱）し、その後、この混合ガスに着火させるようにしているので、着火動作の前段階でガスを噴出させる必要がある。すなわち、ガスの噴出から着火までの間に混合ガスの加熱を行うための時間が必要となる。このため、着火するまでの間はファン（モータ）の回転を止めて置かなければならない。
【０００５】
一方、ドライヤー使用時は、通常のドライヤーと同じ感覚で操作ツマミを操作し、この操作によってモータへの電源供給スイッチをＯＮ、ガス流路を開路、点火器に高電圧を印加する等の一連の動作を連続して行わなければならないので、この操作は一つの操作ツマミで行うとすると少なくとも３つの操作工程が必要となる。このため、携帯用として使用するためには本体をできるだけ小型化しなければならないところ、この３つの操作工程を実行できる操作ツマミを設けようとすると、操作ストロークが大きく（長く）なり、このような大きなストロークを確保するには自ずと本体ケースの寸法を大きくしなければならない。また、ガス流路を開閉する開閉弁は、ノーマル状態で閉、操作ツマミの操作時に開としなければならないので、開閉弁の機構から閉状態の保持力が強くなっている。その理由は、例えば、着火意思のない時にハンドルを僅かに握っただけで簡単に開閉弁が開状態になれば危険であり、これを回避するために保持力を強くしなければならないからである。したがって、開閉弁を開状態にする場合は、操作ツマミを強く押圧しなければならず、この操作はユーザーにとって煩わしい操作となる。
【０００６】
そこで、これまでのドライヤーがこのような課題を有してしていることから、本願の出願人は、操作ストロークを大きくすることなく操作ツマミの一連の操作によってモータへの通電、ガス流路の開放及び着火を連続して行うことができるドライヤーを開発し、特許出願している（下記特許文献１参照）。なお、図６は下記特許文献１に係るドライヤーの操作ツマミ及びこのツマミに連携した部品の側面図、図７は操作ツマミの動作状態を説明する側面図である。なお、各図面に付した番号は、本発明のドライヤーの図面番号と同じものを使用したので連続番号となっていない。
【０００７】
このドライヤーは、その全体構成の図示を省略するが、吐風口と吸気口とを有するケース、このケース内に収設されたバーナー、点火器、モータ及びこのモータにより回転するファン、前記ケースに連結されたハンドル、このケース及びハンドル内に収納された電池及びガスボンベ、前記ハンドル内の電池とモータへの通電を行う作動スイッチ２２、ガスボンベとバーナーと間のガス流路を開閉する開閉弁２１、前記点火器に高電圧を印加する点火装置、スライド自在な操作ツマミ３９、この操作ツマミ３９に連係して開閉弁２１を開閉するアームレバー３２、をそれぞれを備えた構成となっている。
【０００８】
そして、アームレバー３２は、図６に示すように、略「く」の字形に屈曲されて、この屈曲により形成された山形部３３が操作ツマミ３９に臨ませ、その一端が回動自在に枢支され他端が遊端となって前記開閉弁２１に臨ませ、この遊端により開閉弁２１が押圧されてガス流路が開放させるように、アームレバー３２の枢支部にアームレバー３２の長手方向に延びる長孔３８が形成された構成となっている。
【０００９】
着火操作時は、操作ツマミ３９を図６に示す位置から若干上方にスライド移動させて作動スイッチ２２をＯＮさせて、モータに電池電源を供給すると共に、この電池電源を応動体２８に印加して開閉弁２１を開放しガス流路の開放状態を保持して生ガスをバーナーに供給する。この状態では、操作ツマミ３９のスライド移動に伴って作動片４２が作動レバー３１を押して作動スイッチ２２をＯＮにすることで電池電源がモータに供給されてこのモータが回転し、ファンにより吸気口から空気を吸い込むと同時に、凸状部４３が作動ピン３４を押付けて乗り越える時にアームレバー３２の係当片３５がスピンドル２９を押してガス流路を開放する。このとき操作ツマミ３９のスライド移動に伴って凸状部４３が作動ピン３４を押圧するが、操作ツマミ３９のスライド方向は凸状部４３が作動ピン３４を押し上げる方向にも作用する。
【００１０】
この作用によってアームレバー３２が若干（長孔３８の孔径分）上方に移動し長孔３８の下側の孔縁が軸ピン４５に当った時点でストップする。したがって、アームレバー３２の移動後には作動ピン３４と軸ピン４５間の距離が長くなり、軸ピン４５を軸として回動する距離が長くなる。
【００１１】
また、凸状部４３が作動ピン３４を乗り越えた後も操作ツマミ３９の一部がアームレバー３２の係当片３５を押してスピンドル２９を没入させガス流路の開放状態を保持している。この保持により、操作ツマミ３９の打撃子４１が点火装置の押圧子を押圧するが次のスライド動作は１秒以下の僅かの時間となっている。
【００１２】
操作ツマミ３９をさらに上側に移動させると、操作ツマミ３９の作動片４２が作動ピン３４を押してさらにスピンドル２９を押し下げ、このスピンドル２９の押し下げに伴いＬ形杆３０を回動させてシャフト２７を引き出し、開閉弁２１を開放してガス流路を続けて開放させる。この動作と間をおくことなく操作ツマミ３９の打撃子４１が点火装置（図示省略）の押圧子を押圧し、点火装置内の高電圧発生機構を作動させて点火器に高電圧を印加して生ガスに着火させる。生ガスへの着火が終わると、操作ツマミ３９が元の位置に戻り、Ｌ形杆３０による開閉弁２１の開放がなくなると共に、作動スイッチ２２もＯＦＦする。しかし、コントロール基板からの電気信号によってモータへの電池電源の供給を続け、応動体２８により開閉弁２１の開放を継続される。着火が成功した後は、着火検出装置により、安定した燃焼状態であることを検出すると、コントロール基板から電池電源を応動体２８に印加してガス流路の開放状態を保持してバーナーでの燃焼が継続される。
【特許文献１】特開平５−１３７６１２号公報（段落〔００３１〕〜〔００４１〕、図１）
【発明の開示】
【発明が解決しようとする課題】
【００１３】
このドライヤーによれば、操作ツマミが小型化されしかも操作ストロークが短くなり一連の連続した操作によってモータへの通電、ガス流路の開放及び着火が連続して行われるので操作性が大幅に改善される。この操作ツマミは、人為的な操作によってＯＮ／ＯＦＦのいずれかに選択されて、ＯＮ位置にあってはモータ、ファンが作動して点火器の燃焼動作の安定した状態が継続され、一方、ＯＦＦ位置ではモータ、ファン及び点火器のＯＦＦ状態が保持される。したがって、この操作ツマミは、基本的にＯＮかＯＦＦ位置のいずれかが選択されてＯＮとＯＦＦ間の中間位置に停止されることがないように設計されている。
【００１４】
しかしながら、この操作ツマミ３９は何らかの原因によりＯＮとＯＦＦ間の中間位置に停止することがある（図７参照）。その原因としては、例えば、操作ツマミ３５、この操作ツマミに連結されたスライド機構、アームレバー３２及び作動片４２等の個々部品のバラツキ、それらの組み立て誤差或いは経年変化等に起因したもの、或いはこの操作ツマミ３９は、スライド機構、作動片４２、アームレバー３２、Ｌ型杆３０等を介して作動スイッチ２２及び開閉弁２１を作動させる構造となっているので、このような構造から操作レバーのＯＮとＯＦＦのそれぞれ位置であっても若干の遊びがあり、この遊びに起因したもの等が挙げられる。
【００１５】
操作ツマミ３９が中間位置で停止すると、操作ツマミ３９に連結された作動片４２の山形部４３が作動ピン３４に当接して開閉弁２１の先端部を押し続ける。したがって、操作ツマミがＯＮとＯＦＦの中間位置にあるとき、すなわち、図８に示すように、ポインターＰがケースに設けたＯＮ表示とＯＦＦ表示の間にあるときは、通常、モータ（ファン）が回転し、開閉弁が開き点火器が生ガスに点火してＯＮ状態のときと同じ燃焼動作が行われる。この状態は、特に異常状態ではなく、これにより点火、爆発、生ガスの発生、電池の消耗を速めるということはない。しかしながら、操作ツマミがＯＮとＯＦＦ間の中間位置に停止しているにも拘わらず、モータ（ファン）が回転し、開閉弁が開き点火器が生ガスに点火してＯＮ状態と同じ燃焼動作がされていると、ボンベから生ガスが放出され爆発等が起るのでないかという不安感をユーザーに抱かせ、また故障と誤解させてしまう恐れがある。
【００１６】
そこで、本発明は、このような課題を解決するためになされたもので、本発明の目的は、例えばドライヤーのケースに表示してあるＯＮとＯＦＦの位置間に操作ツマミが中途半端に停止しないようにして、ユーザーの不安感或いは誤解を解消したガス式ヘアードライヤーを提供することにある。
【課題を解決するための手段】
【００１７】
上記目的を達成するために、本願の請求項１に記載のガス式へアードライヤーの発明は、吸吐気口を有するケースと、ファンを回動させるモータと、ガスボンベに接続されたガス流路を開閉する開閉弁と、ガスを燃焼させるバーナーと、該バーナーの点火を行う点火器と、スライド移動自在な操作ツマミと、を備え、該操作ツマミを操作することにより操作機構を介して前記モータ及び開閉弁並びに点火器の一連のＯＮ／ＯＦＦ制御を行うガス式ヘアードライヤーにおいて、前記操作ツマミがＯＮ／ＯＦＦ位置の中途にあるときに、該操作ツマミをＯＦＦ位置へ強制的に復帰させる復帰部材が前記操作機構に連係されていることを特徴とする。
【００１８】
また、請求項２に記載の発明は、請求項１に記載のガス式へアードライヤーにおいて、前記復帰部材は引っ張り力を有するバネ体からなり、該バネ体が前記操作機構に連結されていることを特徴とする。
【００１９】
また、請求項３に記載の発明は、請求項１に記載のガス式へアードライヤーにおいて、前記復帰部材は圧縮力を有するバネ部材からなり、該バネ部材が前記開閉弁を開閉するアームレバーに当接する位置に設けられていることを特徴とする。
【００２０】
また、請求項４に記載の発明は、請求項３に記載のガス式ヘアードライヤーにおいて、前記アームレバーは、くの字形に屈曲形成され、この屈曲の山形部が前記操作ツマミに臨ませたことを特徴とする。
【００２１】
また、請求項５に記載の発明は、請求項１に記載のガス式ヘアードライヤーにおいて、前記復帰部材は圧縮力を有するバネ部材からなり、該バネ部材が前記モータを作動させる作動スイッチに設けられた作動レバーに当接する位置に設けられていることを特徴とする。
【００２２】
請求項６に記載のガス式へアードライヤーの発明は、吸吐気口を有するケースと、ファンを回動させるモータと、ガスボンベに接続されたガス流路を開閉する開閉弁と、ガスを燃焼させるバーナーと、該バーナーの点火を行う点火器と、スライド移動自在な操作ツマミと、を備え、該操作ツマミを操作することにより操作機構を介して前記モータ及び開閉弁並びに点火器の一連のＯＮ／ＯＦＦ制御を行うガス式ヘアードライヤーにおいて、前記操作ツマミがＯＮ／ＯＦＦ位置の中途にあるときに、該操作ツマミをＯＮ位置へ強制的に移動させる移動部材が前記操作機構に設けられていることを特徴とする。
【００２３】
また、請求項７に記載の発明は、請求項６に記載のガス式へアードライヤーにおいて、前記復帰部材は引っ張り力を有するバネ体からなり、該バネ体が前記操作機構に連結されていることを特徴とする。
【発明の効果】
【００２４】
本発明は上記構成を備えることにより、以下に示すような優れた効果を奏するものである。すなわち、請求項１の発明によれば、操作ツマミを強制的にＯＦＦ位置へ復帰させる復帰部材を備えているため、操作ツマミがＯＮ位置とＯＦＦ位置との中間部等で停止してしまうことがなくなるので、ユーザーに不安感を与えることがないガス式ヘアードライヤーを提供することができる。
【００２５】
また、請求項２の発明によれば、請求項１に示した効果に加えて、復帰部材として操作機構に連結されたバネ体を採用することにより、簡単な構成で復帰部材を形成できるとともに、バネ部材として汎用品のスプリング等を使用できるので、部材自体が安価であり、またスペースを占有することもないため、全体として小型化が実現できる。
【００２６】
また、請求項３の発明によれば、例えばバネ部材として板バネを採用し、この板バネによってアームレバーを押圧することにより、上記請求項１及び２に示した効果を簡単に得ることが可能となる。
【００２７】
また、請求項４の発明によれば、アームレバーをくの字状にし、屈曲した山形部が操作ツマミ側にくるように設けることで、ドライヤーのＯＮ／ＯＦＦ動作が円滑に実現できる操作機構を形成することができる。
【００２８】
また、請求項５の発明によれば、例えばバネ部材として板バネを採用し、この板バネによって作動レバーを押圧することにより、上記請求項１及び２に示した効果を簡単に得ることが可能となる。
【００２９】
また、請求項６の発明によれば、操作ツマミを強制的にＯＮ位置へ移動させる移動部材を備えているため、操作ツマミがＯＮ位置とＯＦＦ位置との中間部等で停止してしまうことがなくなるので、ユーザーに不安感を与えることがないガス式ヘアードライヤーを提供することができる。
【００３０】
また、請求項２の発明によれば、請求項１に示した効果に加えて、移動部材として操作機構に連結されたバネ体を採用することにより、簡単な構成で移動部材を形成できるとともに、バネ部材として汎用品のスプリング等を使用できるので、部材自体が安価であり、またスペースを占有することもないため、全体として小型化が実現できる。
【発明を実施するための最良の形態】
【００３１】
以下、図面を参照して本発明の最良の実施形態を説明する。但し、以下に示す実施形態は、本発明の技術思想を具体化するためのガス式ヘアードライヤーを例示するものであって、本発明をこのガス式ヘアードライヤーに特定することを意図するものではなく、特許請求の範囲に含まれるその他の実施形態のものも等しく適応し得るものである。
【実施例１】
【００３２】
図１は本発明の実施例１に係るガス式ヘアードライヤー全体の縦断面図、図２は図１のＡ部分の拡大側面図（なお、この図では点火装置２３が省略されている）、図３及び図４は図２に対応した操作ツマミの操作状態を説明する拡大側面図である。
【００３３】
ガス式ヘアードライヤー（以下、単にドライヤーという）１は、図１に示すように、外形がピストル型をなし、前方に吐風部３及び後方に吸気部４を有し縦方向の断面形状が円筒形又は楕円形のケース２と、この筒形ケーシング内の吐風部３側に近い位置に配設されたバーナー５と、このバーナー５の近くに固定されて生ガスに点火する点火器（スパークプラグ）６と、バーナー５での燃焼に必要な空気を取り込むエジェクター７と、筒形ケース２内の吸気部４側に近い位置に配設されたモータ８と、を有し、ファン９はモータ８で回転駆動されるようになっている。
【００３４】
筒状ケース２の後方寄りの下部には、このケース２と一体の膨出部１０が形成されて、その内部に空所１１が設けられ、この空所１１内に不図示のコントロール基板が取り付けられている。このコントロール基板は、バーナー５の燃焼状態を監視しガス流路の開閉や電池電圧を検圧してモータ８の回転を制御する等のコントロールソフトと、バーナー５の異常過熱時やバーナー５での着火ミスの時にガス流路を閉路するセーフティソフトが組み込まれている。
【００３５】
側壁に設けられたランプ１２は、空所１１内に配置し膨出部の外側からモータ８の回転状態及びバーナー５の着火状態をモニターするものである。ケース２の下部には、このケースの外壁面形状に沿って空間収納部１３が形成されて、複数本、例えば４本の単３形電池１４が弧状に収納されてそれぞれが直列接続されている。
【００３６】
バーナー５の近傍には、着火検出手段１５が設けられ、この手段により生ガスに着火したかどうかが検出される。本実施例１ではサーミスタが使用されて着火時のバーナーでの温度上昇が検出される。すなわち、一定時間内に所定温度への上昇があれば着火したものと判断され、温度上昇がなければミス着火であると判断される。実際の着火判断は、前述したコントロール基板に組み込んだ回路により行われる。
【００３７】
ハンドル１６は、図１に示すように、膨出部１０に軸１７によって折り曲げ（回動）自在に連結された断面が円形、又は楕円形の筒状体となっている。このハンドル１６は、仕切り板１８によって内部が上下方向に区画されて上部空間部１９と下部空間部２０となっている。上部空間部１９は、ケース２側に近い位置にあり、バーナー５へのガス流路の開閉弁２１と、点火器６への高電圧印加及びモータ８への通断電を行う作動スイッチ２２と、点火装置２３とが収納されている。
【００３８】
下部空間部２０は、仕切り板１８の反対側が開口部２４とされて、仕切り板１８はハンドル１６内に嵌合し確実に固定した状態で取り付けられた上部空間部１９側の延設部と、下部空間部２０側の係合部とが一体形成されており、この延設部にはガスホース２５が連結され、係合部はガスボンベ２６のガス供給部の連結部となっている。
【００３９】
次に、上部空間部１９内に配設される装置及び機能部品を図２を参照して説明する。開閉弁２１は、延設部とバーナー５との間を連結するガスホース２５の一部に設けられたガス流路の開閉を行うガスバルブであって、常時、ガス流路は閉路されており、シャフト２７が引出されることによりガス流路が開放される。
【００４０】
応動体２８は、図３に示すように、開閉弁２１に近接して配設された電磁バルブであって、その一側に摺動自在で且つ常時突出しているスピンドル２９を有し、このスピンドル２９は、コントロール基板を介して電池１４からの電気エネルギーによって没入されて、開閉弁２１のガス流路が開放した状態で保持される。開閉弁２１と応動体２８の近くには、Ｌ形杆３０が軸支されている。このＬ形杆３０は、その一端が開閉弁２１のシャフト２７に係止され、他端がスピンドル２９に係止され、図２の状態では開閉弁２１に内装されたスプリング（図示省略）によってガス流路が閉路されスピンドル２９が突出した状態になっている。すなわち、スピンドル２９は、没入状態でガス流路を開路し、突出状態でガス流路を閉路するようになっている。
【００４１】
したがって、Ｌ形杆３０が図２に示す矢印方向に回動した時には、その一端がシャフト２７を移動させてガス流路を開路し、他端がスピンドル２９が没入すると共に移動する。実施例での動作は、スピンドル２９を外力により押圧（没入）することによってＬ形杆３０が回動しシャフト２７が移動されてガス流路が開路される。
【００４２】
作動スイッチ２２は、電池１４とモータ８との電気回路及びコントロール基板との電気回路を開閉するもので、作動レバー３１の回動によってＯＮ／ＯＦＦが行われる。また、この作動レバー３１は、後述する作動片４２のスライド方向に沿って延びており、その先端部が自由端となっている。加えて、この作動レバー３１は自由端に向かって徐々に作動スイッチから離反する方向に延びている。
【００４３】
この作動レバー３１には、作動レバー３１の自由端に近接した箇所にバネ部材４６（復帰部材）が設けられている。このバネ部材４６は、操作レバー３９がＯＮ／ＯＦＦの中間位置に停止されたとき、ＯＦＦ位置へ強制的に復帰させるために設けられたものであって、先端が屈曲された湾曲部４６Aをなし、この湾曲部４６Ａから延設された脚部４６Ｂを有する板状のバネ板で形成されている。このバネ部材４６は、操作レバー３９がＯＮ／ＯＦＦの中間位置に停止されたとき、すなわち、作動レバー３１が作動片４２により過度に回動された状態で停止したときに、作動レバー３１の自由端がバネ部材４６の湾曲部４６Ａが圧接されて、この湾曲による復元力（バネ付勢力）により作動レバー３１を押し上げて操作ツマミ３９をＯＦＦ位置に強制的に復帰させる。
【００４４】
アームレバー３２は、一端が回動自在に枢支され、他端が遊端となり、「く」の字型をなし、屈曲した中間の山形部３３には作動ピン３４が一体に形成されており、他端には常に応動体２８のスピンドル２９の先端に向いた係当片３５が設けられている。アームレバーの山形部３３、は後述する操作ツマミ３９に臨ませており、このツマミの操作に連係している。このアームレバー３２は、その一端の枢支部３７にこのレバーの長手方向に沿って長孔３８が形成されている。
【００４５】
点火装置２３は例えば圧電素子からなり、図３に示すように、押圧子４０が押し付けられることにより圧電効果によって高電圧を発生させて点火器６で放電させて生ガスに着火させる。なお、他の点火装置を使用してもよい。
【００４６】
操作ツマミ３９は、操作ハンドル１６の前面壁に沿って上下スライド自在にして取り付けられている。この操作ツマミ３９には、作動スイッチ２２のＯＮ／ＯＦＦ操作、アームレバー３２の作動ピン３４を押圧して応動体２８のスピンドル２９を没入させ同時Ｌ形杆３０を介してシャフト２７を移動させガス流路を開閉する操作するための構成を有しており、押圧子４０を作動して高電圧を発生させる打撃子４１と、作動スイッチ２２に係当する作動片４２と、アームレバー３２を作動する凸条部４３を有し、その前側に一体形成した操作突起４４を移動することにより、作動スイッチ２２をＯＮにしてモータ８を回転させ、ガス流路を開放して点火器６から高電圧を発生させた後、即時に生ガスに着火しバーナー５で燃焼させる。このように操作ツマミ３９の操作によって、作動スイッチ２２及び開閉弁２１が作動されるが、これらを作動させる作動レバー３１、アームレバー３２及び凸条部４３等が操作機構となっている。
【００４７】
次に、バーナーへの着火動作について図１〜図４を参照して説明する。
【００４８】
先ず、前述の通り、ガス流路が閉路し、電池からの電源が供給されない図２の状態について述べると、操作ツマミ３９の操作突起４４は最も下側の位置にあり、操作ツマミ３９の作動片４２は作動レバー３１に当接及び押圧せず、凸条部４３は作動ピン３４の下側にあり、しかも係当片３５はスピンドル２９を押していないためＬ形杆３０は会同しておらず、シャフト２７は没入した状態となっている。したがって、作動スイッチ２２はＯＦＦ、開閉弁２１及び応動体２８は共にガス流路を閉止している。また、この状態では、長孔３８が軸ピン４５の下方にありアームレバー３２の全体が下っている。
【００４９】
着火操作は、図３に示すように、操作ツマミ３９を若干上方にスライドさせ作動スイッチ２２をＯＮにしてモータ８に電池１４の電源を供給する。同時に電池の電源を応動体２８に印加して開閉弁２１の開放状態を保持し生ガスをバーナー５に供給する。
【００５０】
この状態では、操作ツマミ３９のスライド動作に伴って作動片４２が作動レバー３１を押して作動スイッチ２２をＯＮにすることで電池１４の電源がモータ８に供給され、モータが回転しファン９により吸気口４から空気を吸い込む。この吸い込みと同時に、凸条部４３が作動ピン３４を押し付けて乗り越える時にアームレバー３２の係当片３５がスピンドル２９を押してガス流路を開放する。
【００５１】
このとき、作動ピン３４が凸条部４３を乗り越えられず、途中で停止しまうことがある。この場合は、作動片４２より作動レバー３１が過度に押圧された状態となっており、作動レバー３１の自由端がバネ部材４６の湾曲部４６Ａを圧縮するようになっているため、この圧縮されたバネ部材４６の復元力により作動レバー３１が押し上げられ、これに伴って作動片４２が作動レバー４２の上面に沿って下方へ移動され、以って操作ツマミ３９がＯＦＦ位置に強制的に復帰される。これにより、ユーザーの不安が解消される。
【００５２】
一方、操作ツマミ３９のスライドに伴って凸条部４３が作動ピン３４を押圧するわけであるが、操作ツマミ３９のスライド方向は凸条部４３が作動ピン３４を押し上げる方向にも作用する。この作用によってアームレバー３２が若干（長孔の孔径）上方に移動し長孔３８の下側の孔縁が軸ピン４５に当った時点でストップする。
【００５３】
従って、アームレバー３２の移動後には作動ピン３４と軸ピン４５間の距離が長くなり、軸ピン４５を軸として回動する距離が長くなる。即ち、同じ操作ツマミ３９のスライド長さであってもアームレバー３２の移動ストロークが長くなる。
【００５４】
なお、凸条部４３が作動ピン３４を乗り越えた後も操作ツマミ３９の一部がアームレバー３２の係当片３５を押してスピンドル２９を没入させガス流路の開放状態を保持する。また、操作ツマミ３９の打撃子４１が点火装置２３の押圧子４０を押圧するが次のスライド動作は１秒以下の僅かの時間である。
【００５５】
操作ツマミ３９を
1163123631578_0
の位置からさらに上側に移動させると、図４に示すように、操作ツマミ３９の作動片４２が作動ピン３４を押してさらにスピンドル２９を押し下げ、このスピンドルの押し下げに伴いＬ形杆３０を回動させてシャフト２７を引き出し、開閉弁２１を開放してガス流路を続けて開放する。この動作と間をおくことなく操作ツマミ３９の打撃子４１が点火装置２３の押圧子４０を押圧し、点火装置２３内の高電圧発生機構を作動させて点火器６に高電圧を印加して生ガスに着火される。
【００５６】
操作ツマミ３９を最も上側にスライドさせた図４の状態から押圧子４０を押圧した後は、押圧子自体の復帰力により操作ツマミ３９が
1163123631578_1
の位置まで押し戻される。
【００５７】
一方、生ガスへの着火が終わると、前述のように操作ツマミ３９が元の位置に戻り、Ｌ形杆３０による開閉弁２１の開放がなくなると共に、作動スイッチ２２もＯＦＦするが、コントロール基板からの電気信号によってモータへの電池電源の供給を続け、応動体２８により開閉弁２１の開放を継続させる。着火が成功した後は、着火検出装置１５により、安定した燃焼状態であることを検出すると、コントロール基板から電池の電源が応動体２８に印加されてガス流路の開放状態が保持されてバーナーでの燃焼が継続される。
【実施例２】
【００５８】
次に、図５を参照して本発明の実施例２に係るガス式ヘアードライヤーを説明する。なお、図５は操作ツマミ及びこの操作ツマミに連係されて操作機構を示した側面図である。また、実施例２に係るガス式ヘアードライヤーは、実施例１のドライヤーと同じ構成を有しているので、共通する構成には同一の符号を付して重複説明を省き、異なる構成についてのみ詳述する。
【００５９】
このドライヤーは、操作ツマミ３９のスライド移動方向に所定のバネ力を有するバネ部材を設けた構成を有している。バネ部材は、一対の第１、第２バネ体４７Ａ、４７Ｂからなり、第１バネ体４７Ａは、第２バネ体４７Ｂをより伸張力（引っ張り力）を弱くし、操作ツマミ３９がＯＮ／ＯＦＦの途中で停止したときに、第１バネ体４７Ａのバネ力によりＯＦＦ位置へ強制的に復帰させる。また、第１、第２バネ体のバネ力を逆にして、操作ツマミ３９がＯＮ／ＯＦＦの途中で停止したときに、第２バネ体４７Ｂのバネ力によりＯＮ位置へ強制的に移動させることも可能である。なお、バネ部材として一対の第１、第２バネ体を設けたが、いずれか一方のバネ体でもよい。この構成によれば、復帰部材にスプリング状のバネ体を使用できるので、ケース内への収納が簡単にできる。
【００６０】
また、上記実施例１及び２において示した構成の他にも復帰部材については種々の変更を行うことが可能である。例えば、上記実施例１において示した復帰部材としてのバネ部材４６は作動スイッチ２２の作動レバー３１によって圧縮される構成となっているが、これに代えてアームレバー３２を操作ツマミ３９側に付勢するようにアームレバー３２の作動ピン３４に当接するバネ部材を設けても実施例１と同様の効果を奏することが可能である。
【００６１】
更にまた、上記実施例１及び２においては、ガス式ヘアードライヤー１をピストル型のものとして説明したが、ピストル型ではなく、より小型化が可能な形状、具体的には本出願人が既に出願している特開２００６−２５９０６号公報に開示されているような形状のドライヤーにも当然適用可能である。
【図面の簡単な説明】
【００６２】
【図１】図１は本発明の実施例１に係るガス式ヘアードライヤー全体の縦断面図である。
【図２】図２は図１のＡ部分の拡大側面図である。
【図３】図３は操作ツマミの操作状態を説明する側面図である。
【図４】図４は操作ツマミの操作状態を説明する側面図である。
【図５】図５は本発明の実施例２に係るガス式ヘアードライヤー全体の縦断面図である。
【図６】図６は従来技術のドライヤーの操作ツマミ及びこのツマミに連携された部品の側面図である。
【図７】図７は操作ツマミの動作状態を説明する側面図である。
【図８】図８は操作ツマミの表示を示す平面図である。
【符号の説明】
【００６３】
１  ドライヤー
２  ケース
３  吐風口
４  吸気口
５  バーナー
６  点火器
８  モータ
９  ファン
１４  電池
１６  ハンドル
２１  開閉弁
２２  作動スイッチ
２３  点火装置
２６  ガスボンベ
３２  アームレバー
３３  山形部
３７  枢支部
３８  長孔
３９  操作ツマミ
４５  軸ピン
４６  バネ部材
４７Ａ、４７Ｂ  バネ部材
【図１】
2008119160.tif 000003
【図２】
2008119160.tif 000004
【図３】
2008119160.tif 000005
【図４】
2008119160.tif 000006
【図５】
2008119160.tif 000007
【図６】
2008119160.tif 000008
【図７】
2008119160.tif 000009
【図８】
2008119160.tif 000010